(57)【要約】【解決手段】  マルチキャリア無線通信システム中でのチャネル品質情報（ＣＱＩ）の報告のための技術が開示されている。一側面では、ユーザ装置（ＵＥ）は、１または複数の報告グループを割り出す。各報告グループは、ユーザ装置のために構成された複数のコンポーネント・キャリアを具備する。ユーザ装置は、報告グループを選択する基地局からのトリガーを検出し得、トリガーに対して、選択された報告グループ中の少なくとも活性化されたコンポーネント・キャリアについてのＣＱＩを送信することによって応答し得る。【選択図】      図５Ａ
2013539281.tif 000002
【特許請求の範囲】
【請求項１】
複数のコンポーネント・キャリア中の１または複数の報告セットを割り出すことと、
下りリンク制御チャネル上で、非周期的チャネル品質情報（ＣＱＩ）の送信のためのトリガーを受信することと、
前記下りリンク制御チャネルに対応する上りリンク・データ・チャネル上で、前記トリガーによって選択された報告セット中のコンポーネント・キャリアについての非周期的ＣＱＩ報告を送信することと、
を具備するユーザ装置での方法。
【請求項２】
前記非周期的ＣＱＩ報告を送信することが、
前記複数のコンポーネント・キャリアのうちの活性化されたコンポーネント・キャリアを割り出すことと、
前記トリガーによって選択された前記報告セット中の各活性化されたコンポーネント・キャリアについての前記非周期的ＣＱＩ報告のためのＣＱＩ情報を生成することと、
を具備する、請求項１の方法。
【請求項３】
前記複数のコンポーネント・キャリアのうちの非活性化されたコンポーネント・キャリアを割り出すことと、
前記トリガーによって選択された前記報告セット中の各非活性化されたコンポーネント・キャリアについての前記非周期的ＣＱＩ報告のためのダミー・フィード・バックを生成することと、
をさらに具備する、請求項２の方法。
【請求項４】
前記下りリンク制御チャネルが前記上りリンク・データ・チャネル上での送信をスケジュールする、請求項１の方法。
【請求項５】
前記上りリンク・データ・チャネル上で前記非周期的ＣＱＩ報告を送信することが、主上りリンクコンポーネント・キャリア上でのデータ送信から独立している、請求項１の方法。
【請求項６】
前記トリガーによって選択された前記報告セット中の複数の成分キャリアについてのＣＱＩフィード・バックを一緒に符号化することをさらに具備する、請求項１の方法。
【請求項７】
前記トリガーによって選択された前記報告セット中の複数のコンポーネント・キャリアについてのＣＱＩフィード・バックを別々に符号化することをさらに具備する、請求項１の方法。
【請求項８】
前記１または複数の報告セットを割り出すことがＲＲＣ構成メッセージを受信することを具備する、請求項１の方法。
【請求項９】
前記トリガーが、前記１または複数の報告セットに対応する１または複数のビットを具備する、請求項１の方法。
【請求項１０】
前記１または複数の報告セットの各々が、主コンポーネント・キャリア（ＰＣＣ）を具備し、前記下りリンク制御チャネルが前記ＰＣＣ上で受信される、請求項１の方法。
【請求項１１】
前記報告セットの２つ以上が、重なり合うセットを具備する、請求項１の方法。
【請求項１２】
前記報告セットの２つ以上が、重なり合わないセットを具備する、請求項１の方法。
【請求項１３】
サブフレームにおいて受信された前記非周期的ＣＱＩの送信のためのトリガーの数を検出することと、
前記サブフレームにおいて受信された前記トリガーの数が１を超えている場合、前記ユーザ装置において誤り状態と決定することと、
をさらに具備する請求項１の方法。
【請求項１４】
前記１または複数の報告セットが、前記ユーザ装置のために構成されたコンポーネント・キャリアの完全なセットを具備する、請求項１の方法。
【請求項１５】
装置であって、
プロセッサと、
前記プロセッサによって実行されると前記装置を、
複数の成分キャリア中の１または複数の報告セットを割り出し、
下りリンク制御チャネル上で、非周期的チャネル品質情報（ＣＱＩ）の送信のためのトリガーを受信し、
前記下りリンク制御チャネルに対応する上りリンク・データ・チャネル上で、前記トリガーによって選択された報告セット中の成分キャリアについての非周期的ＣＱＩ報告を送信する、
ように構成するプロセッサ実行可能命令を具備するメモリと、
を具備する装置。
【請求項１６】
前記非周期的ＣＱＩ報告を送信するために、前記装置が、
前記複数のコンポーネント・キャリアのうちの活性化されたコンポーネント・キャリアを割り出し、
前記トリガーによって選択された前記報告セット中の各活性化された成分キャリアについての前記非周期的ＣＱＩ報告のためのＣＱＩ情報を生成する、
ように構成される、
請求項１５の装置。
【請求項１７】
前記複数のコンポーネント・キャリアのうちの非活性化されたコンポーネント・キャリアを割り出し、
前記トリガーによって選択された前記報告セット中の各非活性化されたコンポーネント・キャリアについての前記非周期的ＣＱＩ報告のためのダミー・フィード・バックを生成する、
ようにさらに構成される、
請求項１６の装置。
【請求項１８】
前記装置が、ＲＲＣ構成メッセージを受信することによって前記１または複数の報告セットを割り出すように構成される、請求項１５の装置。
【請求項１９】
前記１または複数の報告セットの各々が、主成分キャリア（ＰＣＣ）を具備し、前記下りリンク制御チャネルが前記ＰＣＣ上で受信される、請求項１５の装置。
【請求項２０】
機械により実行されると前記機械を
複数の成分キャリア中の１または複数の報告セットを割り出し、
下りリンク制御チャネル上で、非周期的チャネル品質情報（ＣＱＩ）の送信のためのトリガーを受信し、
前記下りリンク制御チャネルに対応する上りリンク・データ・チャネル上で、前記トリガーによって選択された報告セット中の成分キャリアについての非周期的ＣＱＩ報告を送信する、
ように構成する命令を格納する非一時的機械可読媒体を具備する製造品。
【請求項２１】
前記非周期的ＣＱＩ報告を送信するために、前記装置が、
前記複数のコンポーネント・キャリアのうちの活性化されたコンポーネント・キャリアを割り出し、
前記トリガーによって選択された前記報告セット中の各活性化された成分キャリアについての前記非周期的ＣＱＩ報告のためのＣＱＩ情報を生成する、
ように構成される、
請求項２０の製造品。
【請求項２２】
前記装置が、さらに、
前記複数のコンポーネント・キャリアのうちの非活性化されたコンポーネント・キャリアを割り出し、
前記トリガーによって選択された前記報告セット中の各非活性化されたコンポーネント・キャリアについての前記非周期的ＣＱＩ報告のためのダミー・フィード・バックを生成する、
ようにさらに構成される、請求項２１の製造品。
【請求項２３】
前記装置が、ＲＲＣ構成メッセージを受信することによって前記１または複数の報告セットを割り出すように構成される、請求項２０の製造品。
【請求項２４】
前記１または複数の報告セットの各々が、主コンポーネント・キャリア（ＰＣＣ）を具備し、前記下りリンク制御チャネルが前記ＰＣＣ上で受信される、請求項２０の製造品。
【請求項２５】
複数の成分キャリア中の１または複数の報告セットを割り出すための手段と、
下りリンク制御チャネル上で、非周期的チャネル品質情報（ＣＱＩ）の送信のためのトリガーを受信するための手段と、
前記下りリンク制御チャネルに対応する上りリンク・データ・チャネル上で、前記トリガーによって選択された報告セット中の成分キャリアについての非周期的ＣＱＩ報告を送信するための手段と、
を具備する装置。
【請求項２６】
前記非周期的ＣＱＩ報告を送信するための手段が、
前記複数のコンポーネント・キャリアのうちの活性化されたコンポーネント・キャリアを割り出すための手段と、
前記トリガーによって選択された前記報告セット中の各活性化された成分キャリアについての前記非周期的ＣＱＩ報告のためのＣＱＩ情報を生成するための手段と、
を具備する、請求項２５の装置。
【請求項２７】
前記複数のコンポーネント・キャリアのうちの非活性化されたコンポーネント・キャリアを割り出すための手段と、
前記トリガーによって選択された前記報告セット中の各非活性化されたコンポーネント・キャリアについての前記非周期的ＣＱＩ報告のためのダミー・フィード・バックを生成するための手段と、
をさらに具備する請求項２６の装置。
【請求項２８】
前記１または複数の報告セットを割り出すための手段がＲＲＣ構成メッセージを受信するための手段を具備する、請求項２５の装置。
【請求項２９】
前記１または複数の報告セットの各々が、主成分キャリア（ＰＣＣ）を具備し、前記下りリンク制御チャネルが前記ＰＣＣ上で受信される、
請求項２５の装置。
【請求項３０】
ユーザ装置（ＵＥ）に前記ＵＥのために構成された複数のコンポーネント・キャリア中で１または複数の報告セットをシグナルすることと、
下りリンク制御チャネル上で、前記ＵＥによる非周期的チャネル品質情報（ＣＱＩ）の送信のためのトリガーを送信することと、
前記下りリンク制御チャネルに対応する上りリンク・データ・チャネル上で、前記トリガーによって選択された報告セット中の成分キャリアについての非周期的ＣＱＩ報告を受信することと、
を具備する基地局での方法。
【請求項３１】
前記ＵＥのために構成された複数のコンポーネント・キャリアのうちの活性化されたコンポーネント・キャリアおよび非活性化されたコンポーネント・キャリアの構成をシグナルすることをさらに具備する、請求項３０の方法。
【請求項３２】
前記非周期的ＣＱＩ報告を受信することが、前記トリガーによって選択された報告セット中で少なくとも前記活性化されたキャリアについてのＣＱＩを受信することを具備する、請求項３１の方法。
【請求項３３】
前記トリガーを送信することが、１つの制御メッセージを前記トリガーとともに同じサブフレーム中で送信することを具備する、請求項３０の方法。
【請求項３４】
１または複数の相違する報告セットを前記基地局と通信中の第２ＵＥに送信することをさらに具備する、請求項３０の方法。
【請求項３５】
装置であって、
プロセッサと、
前記プロセッサによって実行されると前記装置を、
ユーザ装置（ＵＥ）に前記ＵＥのために構成された複数のコンポーネント・キャリア中で１または複数の報告セットをシグナルし、
下りリンク制御チャネル上で、前記ＵＥによる非周期的チャネル品質情報（ＣＱＩ）の送信のためのトリガーを送信し、
前記下りリンク制御チャネルに対応する上りリンク・データ・チャネル上で、前記トリガーによって選択された報告セット中の成分キャリアについての非周期的ＣＱＩ報告を受信する、
ように構成するプロセッサ実行可能命令を具備するメモリと、
を具備する装置。
【請求項３６】
前記ＵＥのために構成された複数のコンポーネント・キャリアのうちの活性化されたコンポーネント・キャリアおよび非活性化されたコンポーネント・キャリアの構成をシグナルするようにさらに構成される、請求項３５の装置。
【請求項３７】
前記非周期的ＣＱＩ報告が、前記トリガーによって選択された報告セット中で少なくとも前記活性化されたキャリアについてのＣＱＩを具備する、請求項３６の装置。
【請求項３８】
前記装置が、１つの制御メッセージを前記トリガーとともに同じサブフレーム中で送信するように構成される、請求項３５の装置。
【請求項３９】
１または複数の相違する報告セットを前記装置と通信中の第２ＵＥに送信するようにさらに構成される、請求項３５の装置。
【請求項４０】
機械により実行されると前記機械を、基地局として、
ユーザ装置（ＵＥ）に前記ＵＥのために構成された複数のコンポーネント・キャリア中で１または複数の報告セットをシグナルし、
下りリンク制御チャネル上で、前記ＵＥによる非周期的チャネル品質情報（ＣＱＩ）の送信のためのトリガーを送信し、
前記下りリンク制御チャネルに対応する上りリンク・データ・チャネル上で、前記トリガーによって選択された報告セット中の成分キャリアについての非周期的ＣＱＩ報告を受信する、
ように構成する命令を有する非一時的機械可読媒体を具備する製造品。
【請求項４１】
ユーザ装置（ＵＥ）に前記ＵＥのために構成された複数のコンポーネント・キャリア中で１または複数の報告セットをシグナルするための手段と、
下りリンク制御チャネル上で、前記ＵＥによる非周期的チャネル品質情報（ＣＱＩ）の送信のためのトリガーを送信するための手段と、
前記下りリンク制御チャネルに対応する上りリンク・データ・チャネル上で、前記トリガーによって選択された報告セット中の成分キャリアについての非周期的ＣＱＩ報告を受信するための手段と、
を具備する装置。
【請求項４２】
前記ＵＥのために構成された複数のコンポーネント・キャリアのうちの活性化されたコンポーネント・キャリアおよび非活性化されたコンポーネント・キャリアの構成をシグナルするための手段をさらに具備する、請求項４１の装置。
【請求項４３】
前記非周期的ＣＱＩ報告を受信するための手段が、前記トリガーによって選択された報告セット中で少なくとも前記活性化されたキャリアについてのＣＱＩを受信するための手段を具備する、請求項４２の装置。
【請求項４４】
前記トリガーを送信するための手段が、１つの制御メッセージを前記トリガーとともに同じサブフレーム中で送信するための手段を具備する、請求項４１の装置。
【請求項４５】
１または複数の相違する報告セットを前記装置と通信中の第２ＵＥに送信するための手段をさらに具備する、請求項４１の装置。
【発明の詳細な説明】
【関連出願の表示】
【０００１】
米国連邦法規集第３５編第１１９条による利益の主張
本特許出願は、２０１０年８月１６日に出願された「Aperiodic Channel Quality Indicator Report in Carrier Aggregation」と題された米国仮出願番号６１／３７４，０６９、および２０１１年８月１１日に出願された「Aperiodic Channel Quality Indicator Report in Carrier Aggregation」と題された米国実用特許出願番号１３／２０８，０８０の優先件を主張する。これらは、本願の譲受人に譲渡され、参照することによって明白に本明細書に取り込まれる。
【技術分野】
【０００２】
本開示は、概して、無線通信分野に関し、特に、集められた（アグリゲートされた）キャリアを有する無線通信システムにおいてチャネル品質を報告するための方法、装置（デバイス）、および製造品に関する。
【背景技術】
【０００３】
この章は、開示されている実施形態に対する背景または前後関係（文脈）を提供することが意図されている。ここでの記述は追求されることが可能ではあったが必ずしも以前に理解または追求されなかった概念を含み得る。したがって、本明細書で、そうでないと示されない限り、この章中の記述は本願の記述および請求項に対する先行技術ではなく、この章中に含めることによって先行技術であると認められるではない。
【０００４】
無線通信システムは、音声、データ等のような様々なタイプの通信内容を提供するために広く展開されている。これらのシステムは、利用可能なシステム・リソース（例えば帯域幅および送信電力）を共用することによって、複数ユーザとの通信をサポートすることが可能な多元接続システムであり得る。そのような多元接続システムの例は符号分割多元接続（ＣＤＭＡ）システム、時分割多元接続（ＴＤＭＡ）システム、周波数分割多元接続（ＦＤＭＡ）システム、３ＧＰＰロング・ターム・エボルーション（ＬＴＥ）システム、および直交周波数分割多元接続（ＯＦＤＭＡ）システムを含んでいる。
【０００５】
いくつかの無線通信システムでは、モバイル装置は、チャネル状況に関する情報を基地局に報告し得る。この情報は、例えば、動作信号対雑音比を含み得る。基地局は、このチャネル状況に関する情報を使用して、スケジューリング、ＭＩＭＯ設定、調整、および符号化の選択等に関する適切な決定を下し得る。
【発明の概要】
【０００６】
マルチキャリア無線通信システム中でのチャネル品質インジケータ（ＣＱＩ）の報告のための技術が開示されている。一側面では、ユーザ装置（ＵＥ）は１または複数の報告セットを割り出す。各報告セットは複数のコンポーネント・キャリア（component carrier）を含んでいる。下りリンク制御チャネル上で、ＵＥは、非周期的ＣＱＩ報告の送信のためのトリガーを受信する。下りリンク制御チャネルに対応する上りリンク・データ・チャネルで上、ＵＥは、トリガーによって選択された報告セット中のコンポーネント・キャリアについての非周期的ＣＱＩ報告を送信する。
【０００７】
一側面では、ＵＥは、選択された報告セット中のどのコンポーネント・キャリアが活性化されたコンポーネント・キャリアであるかを割り出し、活性化されたコンポーネント・キャリアについての非周期的ＣＱＩ報告を生成する。別の側面では、ＵＥは、選択された報告セット中のどのコンポーネント・キャリアが非活性化されたコンポーネント・キャリアであるかを割り出し、非活性化されたコンポーネント・キャリアの各々についてのダミーのＣＱＩフィード・バックを所定のパターンの形態で生成する。別の側面では、ＵＤは、報告セットを、無線リソース制御（ＲＲＣ）構成メッセージを受信することにより割り出し、また／または、１または複数の報告セットの各々は主コンポーネント・キャリア（ＰＣＣ）を具備し、ＰＣＣは下りリンク制御チャネルを含んでいる。
【０００８】
一側面では、基地局は、ユーザ装置（ＵＥ）に１または複数の報告セットをシグナルする。各報告セットは複数のコンポーネント・キャリアを含んでいる。基地局は、下りリンク制御チャネル上で、ＵＥによる非周期的チャネル品質情報（ＣＱＩ）の送信のためのトリガーを送信する。基地局は、下りリンク制御チャネルに対応する上りリンク・データ・チャネル上で、トリガーによって選択された報告セット中のコンポーネント・キャリアについての非周期的ＣＱＩ報告を受信する。一側面では、基地局はまた、１または複数の相違する報告セットを基地局と通信中の第２ＵＥに送信する。
【０００９】
実施形態のこれらのおよび他の様々な特徴、ならびにそれらの動作の構成および方法は、以下の詳細な説明から、添付図面ととともに使用されると、明らかになるだろう。添付図面では、それにわたって同様の要素を指すために同様の参照符号が使用される。
【図面の簡単な説明】
【００１０】
提供されている実施形態は、添付図面の図において、限定ではなく例として示されている。
【図１】無線通信システムを例示している。
【図２】通信システムのブロック図を例示している。
【図３】非周期的ＣＱＩトリガリングおよび報告の側面を例示している。
【図４】非周期的ＣＱＩトリガリングおよび報告のさらなる側面を例示している。
【図５Ａ】非周期的ＣＱＩ報告の送信の例示的処理を例示するフローチャートである。
【図５Ｂ】図５Ａの処理を実行する例示的な装置を例示している。
【図６Ａ】図６Ａは、非周期的ＣＱＩ報告をトリガーする例示的な処理を例示するフローチャートである。
【図６Ｂ】図６Ａの処理を実行する例示的な装置を例示している。
【図７】本開示の諸側面が実行され得る別の装置を例示している。
【詳細な説明】
【００１１】
以下の記述では、限定ではなく説明目的で、詳細および記述が、様々な開示されている実施形態についての十分な理解を提供するために示されている。しかしながら、これらの詳細および記述から外れる他の実施形態において様々な実施形態が実行され得ることは当業者にとって明らかであろう。
【００１２】
本明細書で使用されているように、文言「コンポーネント」、「モジュール」、「システム」等は、コンピュータ関連のエンティティー、ハードウェア、ファームウェア、ハードウェアおよびソフトウェアの組み合わせ、ソフトウェア、あるいは実行中のソフトウェアを指すことが意図されている。例えば、コンポーネントは、プロセッサ上で実行中のプロセス、プロセッサ、オブジェクト、実行ファイル、実行のスレッド、プログラム、および／またはコンピュータであり得る（しかしこれらに限定されない）。例証として、演算装置上で動作するアプリケーションおよび演算装置の両方がコンポーネントになり得る。１または複数のコンポーネントはプロセスおよび／または実行のスレッド内にあり（常駐し）得、また、コンポーネントは１つのコンピュータに置かれかつ／または２つ以上のコンピュータ間で分散され得る。また、これらのコンポーネントは、様々なデータ構造を格納された様々なコンピュータ可読媒体から実行することが可能である。複数のコンポーネントは、ローカルおよび／またはリモート・プロセスを介して、例えば１または複数のデータ・パケットを有する信号（例えば、この信号を介してローカル・システム中、分散型システム中、および／または他のシステムを有するインターネットのようなネットワーク中の別のコンポーネントと対話するコンポーネントからのデータ）を介して通信し得る。
【００１３】
さらに、ある実施形態は、ユーザ装置との関連で本明細書において記述されている。ユーザ装置はユーザ端末と呼ばれることも可能であり、システム、加入者ユニット、加入者局、移動（モバイル）局、モバイル無線端末、モバイル装置、ノード、装置、遠隔局、遠隔端末、端末、無線通信装置（device）、無線通信装置（apparatus）、またはユーザ・エージェントの機能の一部または全部を含み得る。ユーザ装置は携帯電話機、コードレス電話機、セッション初期化プロトコル（ＳＩＰ）電話機、スマート・フォン、無線ローカル・ループ（ＷＬＬ）局、携帯情報端末（ＰＤＡ）、ラップトップ、携帯型通信装置、携帯型演算装置、衛星ラジオ、無線モデム・カード、および／または無線システム上で通信するためのその他の処理装置であることが可能である。また、様々な側面は、基地局との関連で本明細書において記述されている。基地局は１または複数の無線端末との通信のために使用され得、アクセス・ポイント、ノード、ノードＢ、エボルブド（進化型）ノードＢ（ｅＮｏｄｅＢ）、または他の何らかのネットワークエンティティーと称され得かつこれらの機能の一部または全部を含み得る。基地局は、無線端末とエアー（無線）インターフェイスで通信する。通信は、１または複数のセクタを介して起こり得る。基地局は、受信された（被受信）エアー・インターフェイス・フレームをＩＰパケットに変換することによって、無線端末とアクセス・ネットワーク（インターネット・プロトコル（ＩＰ）ネットワークを含み得る）の残りのものの間のルータとして振る舞うことが可能である。基地局は、またエアー・インターフェイスのための属性の管理を調整することが可能であり、有線ネットワークと無線ネットワークの間のゲートウェイでもあり得る。
【００１４】
様々な側面、実施形態、または特徴は、多くの装置、コンポーネント、モジュール等を含み得るシステムの点から提示されている。様々なシステムが、さらなる装置、コンポーネント、モジュール等を含み得、また／または図との関連で詳述されている装置、コンポーネント、モジュール等の全てを含んでいない場合があることが理解および認識されるべきである。これらのアプローチの組合せもまた使用され得る。
【００１５】
さらに、主題の記述において、文言「例示的である」は例、実例、または例証として機能することを意味するために使用されている。「例示的」として本明細書において記述されているどのような実施形態またはデザインであっても、好ましいまたは他の実施形態またはデザインに対して有利だと解釈される必要は必ずしもない。むしろ、例示的との文言の使用は、具体的に概念を提示することが意図される。
【００１６】
本開示内容は、通信システムに組み込まれ得る。一例では、そのような通信システムは、全システム帯域幅を複数（ＮＦ個）のサブキャリア（周波数サブチャンネル、トーン、または周波数ビンとも称され得る）に効果的に分割する直交周波数分割多重（ＯＦＤＭ）を使用する。ＯＦＤＭシステムについては、送信されるデータ（すなわち情報ビット）はまず特定の符号化方式で符号化されて符号化された（被符号化）ビットを生成し、被符号化ビットは次に複数ビットのシンボルへグループ化され、ビット・シンボルは次いで変調シンボルにマッピングされる。各変調シンボルは、データ送信に使用される特定の変調方式（例えばＭ−ＰＳＫまたはＭ−ＱＡＭ）によって定義されている信号コンスタレーションの点に相当する。各時間間隔（これは各周波数サブキャリアの帯域幅に依存し得る）で、１つの変調シンボルがＮＦ個の周波数サブキャリアの各々の上で送信され得る。したがって、ＯＦＤＭは周波数選択性フェージング（これはシステムの帯域幅にわたって相違する量の減衰として特徴付けられる）によって引き起こされる符号間干渉（ＩＳＩ）に対抗するために使用され得る。
【００１７】
一般に、無線多元接続通信システムは、複数の無線端末のための通信を同時にサポートすることが可能である。各端末は順方向リンクおよび逆方向リンク上での送信を通じて１または複数の基地局と通信する。順方向リンク（または下りリンク）は基地局から端末への通信リンクを指し、逆方向リンク（または上りリンク）は端子から基地局への通信リンクを指す。この通信リンクは単入力単出力、複数入力単出力、または多入力多出力（ＭＩＭＯ）システムによって確立されることが可能である。
【００１８】
ＭＩＭＯシステムはデータ送信のために複数（ＮＴ個）の送信アンテナおよび複数（ＮＲ個）の受信アンテナを使用する。ＮＴ個の送信アンテナおよびＮＲ個の受信アンテナによって形成されたＭＩＭＯチャネルは、ＮＳ個の独立チャネル（空間チャネルとも称される）へ分解され得る。ここで、ＮＳ≦ｍｉｎ｛ＮＴ，ＮＲ｝である。ＮＳ個の独立チャネルの各々は１次元に相当する。ＭＩＭＯシステムは、複数の送信アンテナおよび受信アンテナによって形成されたさらなる次元の数が使用されれば、向上した性能（例えばより高いスループットおよび／またはより高い信頼性）をもたらすことが可能である。ＭＩＭＯシステムは時分割二重（ＴＤＤ）システムおよび周波数分割二重（ＦＤＤ）システムもサポートする。ＴＤＤシステムでは、順方向送信（送信内容）および逆方向リンク送信（送信内容）は同じ周波数域上にあり、この結果、相互原理が逆方向リンク・チャネルから順方向リンク・チャネルの推定を可能にする。このことは、複数のアンテナが基地局で利用可能な場合に基地局が順方向リンク上の送信ビーム・フォーミング利得を抽出することを可能にする。
【００１９】
図１はマルチ（複数）キャリア無線通信システム１００を示している。基地局１０２は複数のアンテナ群を含み得、各アンテナ群は１または複数のアンテナを具備し得る。例えば、基地局１０２が６個のアンテナを具備する場合、あるアンテナ群は第１アンテナ１０４および第２アンテナ１０６を具備し得、別のアンテナ群は第３アンテナ１０８および第４アンテナ１１０を具備し得、第３グループは第５アンテナ１１２および第６アンテナ１１４を具備し得る。上記のアンテナ群の各々は２本のアンテナを有するものとして特定されたが、より多くまたはより少ないアンテナが各アンテナ群において使用され得ることが注意されるべきである。
【００２０】
第１ユーザ装置１１６は、第１順方向リンク１２０上で第１ユーザ装置１１６への情報伝送を可能にするための例えば第５アンテナ１１２および第６アンテナ１１４と通信する。図示されているように、例示的な第１順方向リンク１２０は３つの成分（component）キャリア（ＣＣ）を具備し、他方、例示的な第１逆方向リンク１１８は１つのコンポーネント・キャリアを含んでいる。順方向リンク１２０および逆方向リンク１１８の両方中のコンポーネント・キャリアの数は、時間とともに変化し得、本例によって制限されない。例えば、時々、基地局１０２は、それがサービス提供する（serve）マルチキャリア・ユーザ装置１１６および１２２のための複数の上りリンクおよび下りリンクＣＣを構成および再構成し得る。
【００２１】
図１はまた、第２順方向リンク１２６上での第２ユーザ装置１２２への情報の送信および第２逆方向リンク１２４上での第２ユーザ装置１２２からの情報の受信を可能にするための例えば基地局１０２の第３アンテナ１０８および第４アンテナ１１０と通信中の第２ユーザ装置１２２を例示している。周波数分割二重（ＦＤＤ）システムでは、図１に示されているコンポーネント・キャリア１１８、１２０、１２４、１２６は、相違する周波数を通信のために使用し得る。例えば、第１順方向リンク１２０は第１逆方向リンク１１８によって使用されるものとは異なる周波数を使用し得る。
【００２２】
アンテナおよび／またはアンテナが中で通信するように設計されている領域のグループの各々は、基地局１０２のセクタと称され得る。例えば、図１に描かれている複数のアンテナ群は、基地局１０２の相違するセクタにおいてユーザ装置１１６、１２２と通信するように設計され得る。順方向リンク１２０および１２６上で、基地局１０２の送信アンテナは、相違するユーザ装置１１６および１２２のための順方向リンクの信号対雑音比を向上させるためにビーム・フォーミングを使用し得る。履域の至る所に散在しているユーザ装置への送信のためにビーム・フォーミングを使用することは、近隣のセル中のユーザ装置への干渉の量を減じ得る。
【００２３】
アンテナおよび／またはアンテナが中で通信するように設計されている領域のグループの各々は、基地局のセクタと称され得る。例えば、図１に描かれている相違する複数のアンテナ群は基地局１００のセクタにおいてユーザ装置に通信するように設計され得る。順方向リンク１２０および１２６上での通信において、基地局１００の送信アンテナは相違するユーザ装置１１６および１２２のための順方向リンクの信号対雑音比を向上させるためにビーム・フォーミングを使用する。また、その履域の至る所に無作為に散在しているユーザ装置への送信のためにビーム・フォーミングを使用する基地局は、近隣のセル中のユーザ装置に、その全ユーザ装置に１つのアンテナを通じて全方向に送信する基地局よりも少ない干渉を引き起こす。
【００２４】
例示的なマルチキャリア通信システム１００は物理上りリンク（ＵＬ）チャネルおよび物理下りリンク（ＤＬ）チャネルを含み得る。下りリンク物理チャネルは、物理制御フォーマット・インジケータ・チャネル（ＰＣＦＩＣＨ）、物理下りリンク制御チャネル（ＰＤＣＣＨ）、物理ハイブリッドＡＲＱインジケータ・チャネル（ＰＨＩＣＨ）、および物理下りリンク共有チャネル（ＰＤＳＣＨ）の少なくとも１つを含み得る。上りリンク物理チャネルは、物理ランダム・アクセス・チャネル（ＰＲＡＣＨ）、チャネル品質インジケータ・チャネル（ＣＱＩＣＨ）、物理上りリンク制御チャネル（ＰＵＣＣＨ）、および物理上りリンク共有チャネル（ＰＵＳＣＨ）の少なくとも１つを含み得る。
【００２５】
さらに、以下の用語および要素が様々な開示されている実施形態を記述するのに使用され得る。
【００２６】
３ＧＰＰ            第３世代パートナーシップ・プロジェクト
ＡＭＣ              適応（型）変調および符号化
ＡＲＱ              自動繰り返し要求
ＢＴＳ              基地トランシーバ局
ＣＣ                コンポーネント・キャリア
ＣＯ−ＭＩＭＯ      協調ＭＩＭＯ
ＣＰ                サイクリック・プレフィックス
ＣＱＩ              チャネル品質インジケータ
ＣＲＣ              巡回冗長検査
ＤＣＩ              下りリンク制御インジケータ
ＤＦＴ−ＳＯＦＤＭ  離散フーリエ変換拡散ＯＦＤＭ
ＤＬ                下りリンク（基地局から加入者への送信）
Ｅ−ＵＴＲＡＮ      エボルブドＵＭＴＳ地上無線アクセス・ネットワーク
ｅＮｏｄｅＢ        エボルブド・ノードＢ
ｅ−ＵＴＲＡ        エボルブドＵＴＲＡ
Ｅ−ＵＴＲＡＮ      エボルブドＵＴＲＡＮ
ＦＤＤ              周波数分割二重化
ＨＡＲＱ            ハイブリッド自動繰り返し要求
ＨＳＤＰＡ          高速下りリンク・パケット・アクセス
ＨＳＰＡ            高速パケット・アクセス
ＨＳＵＰＡ          高速上りリンク・パケット・アクセス
ＬＴＥ              ロング・ターム・エボルーション
ＭＡＣ              メディア・アクセス制御
ＭＩＭＯ            複数入力複数出力
ＭＩＳＯ            複数入力単出力
ＭＵ−ＭＩＭＯ      複数ユーザＭＩＭＯ
ＯＦＤＭ            直交周波数分割多重化
ＯＦＤＭＡ          直交周波数分割多元接続
ＰＢＣＨ            物理ブロードキャスト・チャネル
ＰＣＣ              主コンポーネント・キャリア
ＰＣＦＩＣＨ        物理制御フォーマット・インジケータ・チャネル
ＰＤＣＣＨ          物理下りリンク制御チャネル
ＰＤＳＣＨ          物理下りリンク共有チャネル
ＰＨＩＣＨ          物理ハイブリッドＡＲＱインジケータ・チャネル
ＰＨＹ              物理層
ＰＲＡＣＨ          物理ランダム・アクセス・チャネル
ＰＭＩ              プリコーディング（pre-coding）行列インジケータ
ＰＵＣＣＨ          物理上りリンク制御チャネル
ＰＵＳＣＨ          物理上りリンク共有チャネル。
【００２７】
図２は、図１との関連で記述された通りであり得る例示的マルチキャリア無線通信システム２００のさらなる側面を例示するブロック図である。図示されているように、システム２００は、基地局２１０（「送信器システム」、「アクセス・ポイント」、または「ｅＮｏｄｅＢ」とも称される）およびユーザ装置２５０（「ＵＥ」、「受信器システム」、または「アクセス端末」とも称される）を具備する。基地局２１０が送信器システムと称され、ユーザ装置２５０が受信器システムと称されてはいるが、例示されているように、これらのシステムは双方向に通信することが認識されるだろう。それゆえ、「送信器システム」および「受信器システム」という文言は一方のシステムからの単一方向通信に制限されない。さらに、図２の基地局２１０およびユーザ装置２５０が各々、複数の他の受信器システムおよび送信器システムと通信し得ることも注意されるべきである。
【００２８】
基地局２１０において、多くのデータ・ストリームのためのトラフィック・データが、データ・ソース２１２から送信（ＴＸ）データ・プロセッサ２１４に提供される。各データ・ストリームは、それぞれの送信器システム上で送信され得る。ＴＸデータ・プロセッサ２１４は、各データ・ストリームのためのトラフィック・データを、そのデータ・ストリームのために選択された特定の符号化法に基づいて、フォーマット、符号化、およびインターリーブして、被符号化データを提供する。各データ・ストリームについての被符号化データは、パイロット・データとともに、例えばＯＦＤＭ技術を使用して多重化され得る。パイロット・データは、典型的に、既知の方法で処理されるとともにチャネル応答を推定するために受信器システムで使用され得る既知のデータパターンである。次に、各データ・ストリームについての多重化された（被多重化）パイロットおよび被符号化データは、そのデータ・ストリームのために選択された特定の変調方式（例えばＢＰＳＫ、ＱＳＰＫ、Ｍ−ＰＳＫまたはＭ−ＱＡＭ）に基づいて変調され（シンボル・マッピングされ）て変調シンボルを提供する。各データ・ストリームについてのデータ・レート、符号化、および変調は、基地局２１０のプロセッサ２３０によって実行された命令によって決定され得る。
【００２９】
本例では、全てのデータ・ストリームのための変調シンボルはＴＸ  ＭＩＭＯプロセッサ２２０に提供され得る。ＴＸ  ＭＩＭＯプロセッサ２２０はさらなる処理（例えばＯＦＤＭのための処理）を実行することが可能である。次に、ＴＸ  ＭＩＭＯプロセッサ２２０は、ＮＴ個の変調シンボル・ストリームをＮＴ個の送信器システム・トランシーバ（ＴＭＴＲ）２２２ａ〜２２２ｔに提供し得る。ＴＸ  ＭＩＭＯプロセッサ２２０は、さらに、データ・ストリームのシンボル、およびこのシンボルの送信元のアンテナ２２４にビーム・フォーミング重みを適用し得る。
【００３０】
基地局２１０でのトランシーバ２２２ａ〜２２２ｔは、それぞれのシンボル・ストリームを受信および処理して１または複数のアナログ信号を提供し、さらにこのアナログ信号を調整して送信に適する変調された（被変調）信号を提供する。いくつかのシステムでは、調整は、増幅、濾波、アップコンバーション等の動作を含み得る（しかしこれらに限定されない）。次に、図２に示されるように、トランシーバ２２２ａ〜２２２ｔによって生成された被変調信号は、基地局２１０のアンテナ２２４ａ〜２２４ｔから送信される。
【００３１】
ユーザ装置２５０では、送信された被変調信号は、アンテナ２５２ａ〜２５２ｒによって受信され得る。また、受信器システム・アンテナ２５２ａ〜２５２ｒの各々からの被受信信号は、それぞれのトランシーバ（ＲＣＶＲ）２５４ａ〜２５４ｒに提供される。ユーザ装置２５０でのトランシーバ２５４ａ〜２５４ｒは各々、それぞれの被受信信号を調整し、調整された信号をディジタル化してサンプルを提供し、さらにサンプルを処理して対応する「受信された（被受信）」シンボル・ストリームを提供する。調整は、増幅、濾波、ダウンコンバージョン等の動作を含み得る（しかしこれらに制限されない）。
【００３２】
ＲＸデータ・プロセッサ２６０は、トランシーバ２５４ａ〜２５４ｒからのシンボル・ストリームを特定の受信器処理技術に基づいて受信および処理して、複数の「検出された（被検出）」シンボル・ストリームを提供する。一例では、各被検出シンボル・ストリームは、対応するデータ・ストリームのための送信された（被送信）シンボルの推定値であるシンボルを含み得る。ＲＸデータ・プロセッサ２６０は、各被検出シンボル・ストリームを復調、デインターリーブ、および復号して対応するデータ・ストリームのためのトラフィック・データを回復することが可能である。ＲＸデータ・プロセッサ２６０による処理は、基地局２１０でのＴＸ  ＭＩＭＯプロセッサ２２０およびＴＸデータ・プロセッサ２１４によって実行された処理と相補であり得る。ＲＸデータ・プロセッサ２６０はさらに、処理されたシンボル・ストリームをデータ・シンク２６４に提供することが可能である。
【００３３】
チャネル応答推定値が、ＲＸデータ・プロセッサ２６０によって生成され、受信器システムでの空間／時間処理を実行し、電力レベルを調整し、変調レートまたは方式を変え、および／または他の適切な動作を実行するために使用され得る。また、ＲＸデータ・プロセッサ２６０は、さらに被検出シンボル・ストリームの信号対雑音（ＳＮＲ）および信号対干渉波比（ＳＩＲ）等のチャネル特性を推定することが可能である。そして、ＲＸデータ・プロセッサ２６０は、推定された（被推定）チャネル特性をプロセッサ２７０に提供することが可能である。一例では、ユーザ装置のＲＸデータ・プロセッサ２６０および／またはプロセッサ２７０は、チャネル状態情報（ＣＳＩ）をさらに導出することが可能である。ＣＳＩは、通信リンクおよび／または被受信データ・ストリームに関する情報を含み得る。
【００３４】
ＣＳＩは、例えば、チャネル状況に関する相違するタイプの情報を含み得る。例えば、ＣＳＩは、ＭＩＭＯパラメータを割り出すためのランク・インジケータ（ＲＩ）および／またはプリコーディング行列インデックス（ＰＭＩ）、および／またはデータ・レートおよび変調ならびに符号化方法を割り出すための基地局２１０によって構成された各ＣＣについての広帯域またはサブバンド・チャネル品質情報（ＣＱＩ）を含むことが可能である。プロセッサ２７０は、ユーザ装置２５０による使用のために構成された複数キャリアの１または複数のためのＰＭＩ、ＣＱＩ、および／またはＲＩを含んだＣＳＩ報告を生成することが可能である。
【００３５】
具体的には、ＣＱＩ（「チャネル品質インデックス」および「チャネル品質インジケータ」とも称される）は、構成されたコンポーネント・キャリアの各々によってサポートされることが可能なデータ・レートを信号対干渉波および雑音比（ＳＩＮＲ）およびＵＥの受信機の特徴を考慮に入れて割り出すために基地局２１０によって使用され得る。ユーザ装置２５０において、プロセッサ２７０によって生成されたＣＱＩはＴＸデータ・プロセッサ２３８によって処理され、変調器２８０によって変調され、受信器システム・トランシーバ２５４ａ〜２５４ｒによって調整され、基地局２１０に返信される。また、ユーザ装置２５０でのデータ・ソース２３６は、ＴＸデータ・プロセッサ２３８によって処理されるさらなるデータを提供することが可能である。
【００３６】
ユーザ装置２５０は、空間的に多重化された信号を受信および処理することが可能であり得る。空間（的）多重化は、基地局において、相違する複数データ・ストリームを送信器システム・アンテナ２２４ａ〜２２４ｔ上で多重化および送信することによって実行され得る。これは、同じデータ・ストリームが複数の送信器システム・アンテナ２２４ａ〜２２４ｔから送信される送信ダイバーシチ方式の使用とは対照的である。空間多重化された信号を受信および処理するＭＩＭＯ通信システムでは、典型的には、送信器システム・アンテナ２２４ａ〜２２４ｔの各々から送信された信号が相互に十分に非相関させられるように、プリコード（precode）行列が基地局２１０で使用される。この非相関性は、どの特定の受信器システム・アンテナ２５２ａ〜２５２ｒに到達する複合信号であっても受信されるのが可能であること、および個々のデータ・ストリームが、他の送信器システム・アンテナ２２４ａ〜２２４ｔからの他のデータ・ストリームを搬送する信号の存在で割り出されるのが可能であることを確実にする。
【００３７】
ストリーム間の相互相関の量が環境によって影響を受ける可能性があるので、ユーザ装置２５０が被受信信号に関する情報を基地局２１０にフィード・バックすることは有利である。例えば、基地局２１０およびユーザ装置２５０は、両方とも、多くのプリコーディング行列を有するコードブックを含み得る。これらのプリコーディング行列の各々は、事例によっては、被受信信号において経験された相互相関の量と関連させられることが可能である。ある特定の行列のインデックスをその行列中の値に代えて送信することが有利であるので、ユーザ装置２５０はＰＭＩ情報とともにＣＳＩ報告を基地局２１０に送信し得る。空間多重化においていくつの独立したデータ・ストリームを使用するかを示すランク・インジケータ（ＲＩ）も基地局２１０に送信され得る。
【００３８】
通信システム２００は送信ダイバーシチ方式を、上記の空間多重化方式に代えて使用することも可能である。これらの例では、同じデータ・ストリームが送信器システム・アンテナ２２４ａ〜２２４ｔにわたって送信される。ユーザ装置２５０に届けられたデータ・レートは、典型的には、空間多重化されたＭＩＭＯ通信システム２００より低い。送信ダイバーシチ方式は通信チャネルの堅牢性および信頼性をもたらすことが可能である。送信器システム・アンテナ２２４ａ〜２２４ｔから送信された信号の各々は、相違する干渉環境（例えばフェージング、反射、マルチパス位相シフト）を経験することになる。受信器システム・アンテナ２５２ａ〜２５４ｒにおいて受信された相違する信号特徴は、適切なデータ・ストリームを割り出すのに役立ち得る。
【００３９】
他の例示的なシステムは、空間多重化および送信ダイバーシチの組合せを使用し得る。例えば、４個のアンテナ２２４を有するシステムでは、第１データ・ストリームはこれらアンテナのうちの２個の上で送信され得、第２データ・ストリームは残りの２個のアンテナ上で送信され得る。これらの例において、ランク・インジケータは、プリコーディング行列の最大限のランクより小さい整数に設定され得、基地局２１０に空間多重化と送信ダイバーシチの組合せを使用するよう示す。
【００４０】
基地局２１０において、ユーザ装置２５０からの被変調信号は、送信器システム・アンテナ２２４によって受信され、トランシーバ２２２によって調整され、復調器２４０によって復調され、ＲＸデータ・プロセッサ２４２によって処理されて、ユーザ装置２５０によって送信されたリザーブ・リンク・メッセージを抽出する。次に、基地局２１０でのプロセッサ２３０は、将来の順方向リンク送信のためにどのプリコーディング行列を使用するかを決定し得る。プロセッサ２３０は、また、被受信信号を将来の順方向リンク送信のためのビーム・フォーミング重みを調整するために使用することが可能である。
【００４１】
基地局２１０でのプロセッサ２３０およびユーザ装置２５０でのプロセッサ２７０は、それぞれのシステムでの動作を指揮し得る。また、基地局２１０でのメモリ２３２およびユーザ装置２５０でのメモリ２７２は、それぞれ、送信器システム・プロセッサ２３０および受信器システム・プロセッサ２７０によって使用されるプログラム・コードおよびデータのためのストレージを提供することが可能である。さらに、ユーザ装置２５０において、様々な処理技術が使用されてＮＲ個の被受信信号を処理してＮＴ個の被送信シンボル・ストリームを検出することが可能である。これらの受信器処理技術は、空間および空間・時間受信器処理技術を含み得る。これらの技術は、等化技術、「連続ヌル化／等化および干渉波打ち消し」受信器処理技術、および／または「連続干渉波打ち消し」または「連続打ち消し」受信器処理技術を含み得る。
【００４２】
上述のように、ＣＱＩ報告は、基地局２１０のプロセッサ２３０に提供されることが可能であり、例えば１または複数のコンポーネント・キャリア中で１または複数のデータ・ストリームのために使用されるデータ・レートおよび符号化方式ならびに変調方式を割り出すために使用されることが可能である。割り出された符号化方式および変調方式は、次いで、量子化および／または後のユーザ装置２５０への送信での使用のために基地局２１０での１または複数のトランシーバ２２２ａ〜２２２ｔに提供されることが可能である。付加的にまたは代替的に、報告されたＣＱＩは、基地局２１０のプロセッサ２３０によって使用されて、ＴＸデータ・プロセッサ２１４およびＴＸ  ＭＩＭＯプロセッサ２２０のための様々な制御を生成することが可能である。一例では、ＣＱＩおよび／または基地局２１０のＲＸデータ・プロセッサ２４２によって処理される他の情報は、データ・シンク２４４に提供されることが可能である。
【００４３】
本明細書において詳述されているように、選択されたキャリアまたは相違するコンポーネント・キャリア・グループについてのＣＱＩ報告は、基地局２１０によって非周期的にトリガーされ、物理上りリンク共用データ・チャネル（ＰＵＳＣＨ）上でユーザ装置２５０によって報告され得る。このグループは、例えば基地局２１０からユーザ装置２５０への無線リソース制御（ＲＲＣ）シグナリングによって半静的に（semi-statically）構成され得、トリガーはチャネル状況およびトラフィックのレベルを変化させることに応答して、構成された複数グループのうちの１つを選択するように符号化され得る。ＣＱＩのタイプ（例えば広帯域またはサブバンド）も、ＲＲＣシグナリングによって構成され得る。また、選択されたコンポーネント・キャリアは、基地局２１０によって動的にまたは半静的に活性または非活性化され得る。このことは、非活性化されたコンポーネント・キャリアについてのＣＱＩ報告を一時停止または変更し得る。
【００４４】
本開示のマルチキャリア無線通信システムでは、ユーザ装置（ＵＥ）２５０は、基地局（ｅＮｏｄｅＢ）２１０からＵＥ２５０への順方向チャネル（下りリンク）および／またはＵＥ２５０からｅＮｏｄｅＢ２１０への逆方向チャネル（上りリンク）上での広げられた帯域幅リソースを提供するために、キャリア・アグリゲーション（ＣＡ）方式において２つ以上のコンポーネント・キャリア（ＣＣ）とともに構成され得る。下りリンクおよび上りリンクの両方において、コンポーネント・キャリアのうちの１つは主コンポーネント・キャリア（ＰＣＣ）と称され、他方、他のキャリアは二次成分キャリア（ＳＣＣ）と称され得る。
【００４５】
本開示によれば、マルチキャリア・システムでの非周期的ＣＱＩ報告のトリガリングは相違する形態を取り得る。１つの可能なトリガリング・フォーマットは一対一マッピング（写像）である。この場合、各下りリンクコンポーネント・キャリア（ＤＬ  ＣＣ）中のＰＤＣＣＨが、ＰＵＳＣＨ中での対応する上りリンクコンポーネント・キャリア（ＵＬ  ＣＣ）上での非周期的ＣＱＩ報告をトリガーし得る。すなわち、あらゆる所与のサブフレームにおいて、ユーザ装置２５０は、トリガリング・ビット・セットを有する複数のＰＤＣＣＨを受信し得、したがってＣＱＩ報告を有する複数のＰＵＳＣＨを送信し得る。ＬＴＥ  リリース１０（Rel-10）およびそれ以降では、ＵＥ毎ベースで対称およびＤＬヘビー（偏重、heavy）非対称ＣＣ構成がサポートされている。ＤＬヘビー非対称ＣＣ構成（すなわちＤＬ  ＣＣがＵＬ  ＣＣより多い）の場合、少なくとも１つのＰＤＣＣＨが、２つ以上のＤＬ  ＣＣについてのＣＱＩフィード・バックをトリガーする必要があり得る。すなわち、一対一マッピングは十分ではない。実際、各ＰＤＣＣＨがコンポーネント・キャリアの全帯域幅にわたって少なくとも１つのＯＦＤＭシンボル予約を必要とするので、一対一マッピングは、マルチキャリア・システム中でのリソースの非能率的な使用につながる可能性がある。
【００４６】
一対全マッピングでは、ＰＤＣＣＨ中の１ビット（例えばＤＬ  ＰＣＣ）が使用されて、１つのＵＬコンポーネント・キャリア（例えばＵＬ  ＰＣＣ）上で全ての被構成ＤＬ  ＣＣについてのＣＱＩフィード・バックをトリガーすることになるだろう。しかしながら、展開シナリオおよびトラフィック／チャネル状況によっては、全ての構成されたＤＬコンポーネント・キャリアについて１回で報告することは必須ではない（その場合、例えば下に詳述されるように、１または複数のＤＬコンポーネント・キャリアが非活性化される）かもしれず、さらに一対全マッピングは、全ＣＣについてのＣＱＩ報告がＰＵＳＣＨ上で送信される場合、共有上りリンク・データ・チャネル中の著しい制御オーバーヘッドを引き起こし得る。
【００４７】
したがって、本明細書において記述されている技術は、マルチキャリア環境での非周期的ＣＱＩ報告のためのさらなる柔軟性および高められた効率をもたらす。一側面では、ユーザ装置２５０が上記のようにＭ個の下りリンクコンポーネント・キャリアとともに構成される少対多マッピングにおいて、ユーザ装置２５０は、上位レイヤ・シグナリングによって（例えばＲＲＣシグナリングによって）、構成されたコンポーネント・キャリアの報告セットを定義する追加の構成情報を受信し得る。
【００４８】
例えば、Ｍ個の構成されたＤＬコンポーネント・キャリアは、（Ｍ次元の）セット（集合）Ｓを具備し得、上位レイヤ・シグナリングは、以下のように非周期的ＣＱＩトリガリングのためのセットＳ（例えば、Ｓ１、…、ＳＮによって表示される）のうちの１または複数の報告セットを定義し得る。
【数１】
2013539281.tif 000003
【００４９】
報告セットＳｎ（ｎ＝１、…、Ｎ）は互いに素なセット（すなわち、共通要素がない）であってもよいし重なり合う（重複する）セットであってもよい。例えば、どの報告セットが選択されているかに関わらず下りリンクＰＣＣのためのＣＱＩ報告が常にトリガーされることを保証するように各セットに下りリンクＰＣＣを含めることが望ましいかもしれない。
【００５０】
所与のＤＬコンポーネント・キャリア中のＰＤＣＣＨ中のＣＱＩ報告トリガーは、ある特定の報告セットＳｎと関連付けられ得る。ＰＤＣＣＨ中の下りリンク制御情報（ＤＣＩ）は、ＵＥがＤＣＩを非周期的ＣＱＩ報告トリガーを含んだ上りリンク（例えばＰＵＳＣＨ）送信許可として解釈するようにフォーマットされ得る（例えば、ＬＴＥ  Ｒｅｌ−８およびそれ以降で定義されているようなＤＣＩフォーマット０またはＤＣＩフォーマット４）。
【００５１】
ある特定のトリガリングＰＤＣＣＨと関連付けられているＤＬ成分キャリアの報告セットは、トリガリングＰＤＣＣＨを搬送する下りリンクコンポーネント・キャリアに対応する上りリンクコンポーネント・キャリアを含むように構成され得る。例えば、トリガリングＰＤＣＣＨがＤＬコンポーネント・キャリアＣＣ１上にある場合、例えばそのＰＤＣＣＨ中でのＣＱＩ報告トリガーと関連付けられているコンポーネント・キャリアの報告セットはＣＣ１（および恐らく他のＵＬコンポーネント・キャリア）を含むことになる。
【００５２】
上述のように、ＲＲＣ構成された報告セットＳｎは、１または複数の非活性化されたＤＬ  ＣＣを含み得、このＤＬ  ＣＣについてのチャネル・フィード・バックを報告することをユーザ装置２５０は要求されない（ただし、ＣＣは依然動作中であり得る）。その結果、ＰＤＣＣＨが非活性化されたＤＬ  ＣＣについてのチャネル・フィード・バックをトリガーすると、ＵＥ２５０は、非活性化されたＣＣについてのチャネル・フィード・バックを報告しないか、またはダミー・チャネル・フィード・バック（例えば所定のデータ・パターン）を報告し得る。
【００５３】
ＲＲＣシグナリングの比較的高いレイテンシが原因でｅＮｏｄｅＢ２１０とＵＥ２５０との間のＣＣ（活性化されていても非活性化されていても）の状態についての曖昧さの可能性があり、その結果、ｅＮｏｄｅＢ２１０は、上りリンク制御情報のブラインド検出を実行する必要があり得る。また、複数のＤＬ  ＣＣのためのＣＱＩフィード・バックが１つのＰＵＳＣＨにおいて一緒に符号化される場合、活性化／非活性化されたキャリアに関してのｅＮｏｄｅＢ２１０とＵＥ２５０との間の不一致が関係のあるＤＬ  ＣＣの全てについてチャネル・フィード・バックの間違った受信を引き起こし得る。他方、複数のＤＬ  ＣＣについてのＣＱＩフィード・バックが個々に符号化されかつ個々のＰＵＳＣＨリソースにマッピングされる場合、ｅＮｏｄｅＢでのチャネル・フィード・バックの受信は、ＤＬ  ＣＣ毎ベースへと縮小され得る。対応するＤＬ  ＣＣのために同レイヤ３構成されたＣＱＩ報告モードを使用してダミー・チャネル・フィード・バックを報告することはより堅牢であるが、ＰＵＳＣＨリソースを余計に浪費し得る。
【００５４】
図３は、少対多セット・ベースの非周期的なＣＱＩ報告トリガリングの例、例えば図１および図２に示されているマルチキャリア通信システムとともに使用され得る例を示している。図３では、図２のＵＥ２５０は４個のＤＬＣＣおよび３個のＵＬＣＣとともに構成されている。ＵＬ−ＣＣ２は非活性化されている。２つのＤＬ  ＣＣ報告セットＳ１およびＳ２が構成される。ＤＬ  ＰＣＣ（ＤＬ−ＣＣ１）が両方のセットの中に存在している。ＵＥ２５０はｅＮｏｄｅＢ２１０によるトリガリングに応答することが可能であり、ＣＣ１上でＰＵＳＣＨのＰＤＣＣＨスケジューリングが検出されると、それは、セットＳ１（ＤＬ−ＣＣ１およびＤＬ−ＣＣ２）についての非周期的ＣＱＩフィード・バックをトリガーし、また、ＣＣ３またはＣＣ４上でＰＵＳＣＨのＰＤＣＣＨスケジューリングが検出されると、それは、ＵＥ２５０をセットＳ２（ＤＬ−ＣＣ１、ＤＬ−ＣＣ３、およびＤＬ−ＣＣ４）のためのＣＱＩを報告するようトリガーする。
【００５５】
ＤＬ  ＣＣセット・ベースの非周期的ＣＱＩ報告トリガリングは、ｅＮｏｄｅＢ２１０に、展開シナリオおよびＵＥ２５０でのトラフィック／チャネル状況に依存してＤＬスケジューリングを効率的に行う柔軟性をもたらすことが可能である。レイヤ３（例えばＲＲＣ）ベースの構成は、ｅＮｏｄｅＢ２１０が効率、柔軟性、および複雑性の間のトレードオフを平衡させるのを支援する。限界において、ｅＮｏｄｅＢ２１０は、全ＤＬ−ＣＣを含む１つのセットを構成することが可能であり、このことは一対全マッピングになる。ｅＮｏｄｅＢ２１０はまたＭ個の相互に直交なセットを構成することが可能であり、このことは上記のように一対一マッピングになる。
【００５６】
一側面では、一対多ＣＱＩ報告トリガリング方式は、ｅＮｏｄｅＢ２１０によって生成され（かつ対応するＤＬコンポーネント・キャリアと関連付けられ）た各ＰＤＣＣＨが複数のＤＬ成分キャリア報告セットのうちの（例えば、ＲＲＣシグナリングによって定義された）１つについてのＵＥ２５０によるＣＱＩ報告をトリガーするように構成された１または複数のトリガリング・ビットを含み得る通信システムで実行され得る。この例では、ｅＮｏｄｅＢ２１０は、所与のサブフレームにおいてＣＱＩトリガーを有するただ１つのＰＤＣＣＨを送信し得る。
【００５７】
トリガリング・ビットは報告無しとしてＵＥ２５０によって解釈され得る相違する報告要件に対応するようにマッピングまたは符号化され得（例えば、相違するＰＤＣＣＨがトリガリングのために使用される）、例えばトリガリングＰＤＣＣＨが存在するＤＬコンポーネント・キャリア上でのみ報告するか、または複数のＲＲＣ所定報告セットのうちの１つを選択する。一側面では、トリガーされたＣＱＩ報告は、ＵＬ  ＰＣＣがＰＵＳＣＨ送信を有するかどうかに関係なくトリガリングＰＤＣＣＨによってスケジュールされたＰＵＳＣＨ上で送信され得る。別の側面では、トリガーされたＣＱＩ報告は、トリガリングＰＤＣＣＨに関わらず上りリンクＰＣＣ上で送信され得る。
【００５８】
一例として、ｅＮｏｄｅＢ２１０から送信されたトリガリング・コードは、所与のＰＤＣＣＨ中のＣＱＩ報告トリガリングに割り当てられた３つのＤＣＩビットを含み得る。関連する一般的原理が３ビット超または３ビット未満を使用して適用され得ることが認識されるだろう。符号化された３ビットは、以下の方法でＵＥ２５０によって解釈され得る。コード「０００」はＣＱＩ報告無しに相当し得、コード「００１」はトリガリングＰＤＣＣＨを運搬するＤＬコンポーネント・キャリアのみについてのＣＱＩ報告をトリガーし得、コード「０１０」は、高レイヤ・シグナリングによってＤＬコンポーネント・キャリアの事前構成された（preconfigured）第１セットについてのＣＱＩ報告をトリガーし得、コード「１００」は、高レイヤ・シグナリングによってＤＬコンポーネント・キャリアの事前構成された第２セットについてのＣＱＩ報告をトリガーし得る。２ビットの２進シグナリングを使用して、同じ結果が達成されることが可能であることが認識されるだろう。その場合、例えば、２進コード００は３ビット・コード０００に相当し、２進コード０１は３ビット・コード００１に相当し、２進コード１０は３ビット・コード０１０に相当し、２進コード１１は３ビット・コード１００に相当する。
【００５９】
上記の例において、各報告セットについてのＣＱＩフィード・バックを送信する各サブフレーム中で唯一のコンポーネント・キャリアＰＵＳＣＨを選ぶことはｅＮｏｄｅＢ２１０が担う。そのようなＰＵＳＣＨがトリガリングＰＤＣＣＨによって動的にスケジュールされれば、チャネル・フィード・バックの品質を保証するようにｅＮｏｄｅＢがＭＣＳを適切に制御することが可能であることが認識されるだろう。
【００６０】
ＣＱＩ報告をトリガリングＰＤＣＣＨに対応するＰＵＳＣＨ上で送信することは、ＵＬ  ＰＣＣのためのＰＤＣＣＨが見過ごされ（miss）得（例えばＵＬ  ＰＣＣ上でのＰＵＳＣＨが動的にスケジュールされる場合）かつ対応するＤＬ  ＰＣＣが当該ＤＬ  ＣＣ報告セットの一部でないかもしれない状況でｅＮｏｄｅＢ２１０とＵＥ２５０との間の潜在的な混乱を回避することが可能である。また、ＵＬ  ＰＣＣ上のＰＵＳＣＨが非適応的な再送を経験する場合、そのＭＣＳ、送信電力、利用可能リソース要素等は、所望品質でＣＱＩフィード・バックを搬送するための適切な組合せにはないかもしれない。典型的には、各ＰＤＣＣＨは１％誤検出率が目標とされることが認識されるだろう。したがって、同じＤＬ  ＣＣトリガリング・セットのために２つ以上のＰＤＣＣＨにわたるトリガリングを可能にすることは、性能の観点から必須ではないかもしれない。
【００６１】
したがって、２つ以上のＤＬ  ＣＣ報告セットを同時にトリガリングすることは、ＵＥ２５０によってエラー・イベント（例えばｅＮｏｄｅＢ符号化エラーまたはＵＥでの復号エラー）として扱われ得る。あるいは、ＵＥは、（見たところ）全てのトリガーされた報告セットについての対応するＰＵＳＣＨ上でのＣＱＩ報告を続け得る。ｅＮｏｄｅＢが、ＣＱＩフィード・バックを搬送することを自身が望んだコンポーネント・キャリアＰＵＳＣＨがどれかを識別することになるからである。別の選択肢は、チャネル情報フィード・バックのトリガーされたセットのうちの１つのみを対応するＰＵＳＣＨ上で報告することである。この場合、報告するセットは事前構成されることが可能である。さらに別の選択肢は、チャネル情報フィード・バックのトリガーされたセットの論理和を唯１つのＰＵＳＣＨ上で報告すること（この場合、報告のためのＰＵＳＣＨはＰＣＣ（ＰＵＳＣＨがＰＣＣ上にある場合））であることが可能である）、または、所定の（事前決定された）ＣＣ上で報告すること（例えば最小搬送周波数を有するコンポーネント・キャリア上でのＰＵＳＣＨ、あるいはＲＲＣ構成中で最低位のコンポーネント・キャリア上でのＰＵＳＣＨ）である。
【００６２】
下りリンクコンポーネント・キャリアＰＤＳＣＨおよび上りリンクコンポーネント・キャリアＰＵＳＣＨの関連付けは、ｅＮｏｄｅＢ２１０からのブロードキャスト・メッセージ（例えばＬＴＥでのシステム情報ブロック（ＳＩＢ）メッセージの一部として）に基づいてＵＥ２５０によりなされることが可能である。すなわち、ｅＮｏｄｅＢ２１０は、ブロードキャスト・メッセージ中で関連付けられたＵＬ  ＣＣおよびＤＬ  ＣＣの識別子または選択を送信することが可能である。あるいは、ＤＬ  ＣＣおよびＵＬ  ＣＣはクロスキャリア（cross-carrier）・シグナリングを制御する、ＰＤＣＣＨ中のクロスキャリア・インジケータ・フィールド（ＣＩＦ）を通じて関連付けされ得る。別の例は、経路損失測定値によって（例えば最も堅牢な上りリンク・チャネルおよび下りリンク・チャネルを選択することによって、または各経路損失をマッチさせることによって）ＤＬ  ＣＣおよびＵＬ  ＣＣを関連付けることである。関連付けは、セル毎ベースで、またはＵＥ毎ベースでなされることが可能である。
【００６３】
図４は、先行する図との関連で記述されているシステムおよび装置の諸側面を実行することが可能な例示的システム４００を例示している。システム４００はｅＮｏｄｅＢ４１０およびＵＥ４２０を含んでいる。ｅＮｏｄｅＢ４１０はＣＱＩ構成コンポーネント４１２を含み得る。ＣＱＩ構成コンポーネント４１２は、ＵＥ４２０のために複数の下りリンクコンポーネント・キャリア（例えば下りリンクコンポーネント・キャリアＤＬ−ＣＣ１〜ＤＬ−ＣＣ５）を成分キャリアの１または複数の報告セット、例えば（ＤＬコンポーネント・キャリアＣＣ１およびＣＣ２を具備する）ＳＤ１、（ＤＬ成分キャリアＣＣ３およびＣＣ４を具備する）ＳＤ２、および（ＤＬコンポーネント・キャリアＣＣ４およびＣＣ５を具備する）ＳＤ３として構成することができる。ＵＥ４２０は、上記のように上位レイヤ・シグナリングを通じて報告セットの構成を受信し得る。概して、セットは互いに素なセットまたは重なり合う（重複する）セットであり得る。ｅＮｏｄｅＢ４１０中のＣＱＩ構成コンポーネントはまた、報告セット中の選択されたコンポーネント・キャリアの活性化／非活性化をシグナルする。各ＤＬ  ＣＣは所与の１つのサブフレームにおいてＰＤＣＣＨを含み得るが、構成されたＤＬ  ＣＣのうちの唯１つのＰＤＣＣＨが所与のサブフレーム中でＣＱＩ報告をトリガーし得る。
【００６４】
上記のように、トリガリングＰＤＣＣＨは、トリガリング・ビットの状態に依存して、１つのキャリアＣＱＩ報告または複数の報告セットのうちの１つをトリガーし得る。上記の４つの状態報告（例えば、３ビットのマッピングまたは２ビットの２進符号化を使用して）の場合、例えば、ＤＬ−ＣＣ１上のＰＤＣＣＨがトリガリングＰＤＣＣＨである場合、ＣＱＩ報告は、ＤＬ−ＣＣ１のみに関する報告、報告セットＳＤ１に関する報告、および別の１つの報告セット（例えばＳＤ２またはＳＤ３）に関する報告から構成され得る。ＤＬ−ＣＣ３上のＰＤＣＣＨがトリガリングＰＤＣＣＨである場合、ＣＱＩ報告は、ＤＬ−ＣＣ３のみに関する報告、報告セットＳＤ２に関する報告、および別の１つの報告セット（例えばＳＤ１またはＳＤ３）に関する報告から構成され得る。
【００６５】
概して、いずれのＤＬ  ＣＣもがトリガリング（すなわち、活性な）ＰＤＣＣＨを送信することが可能であること、およびいずれの特定のトリガリング・ビット状態に対する反応もが、上位レイヤ・シグナリングによって事前構成されることが可能であることが認識されるだろう。したがって、ＵＥ４２０はまた、報告セット構成情報を格納するためのＣＱＩ構成コンポーネント４２２、およびトリガリングＰＤＣＣＨに応答してＣＱＩを報告するように構成されているＣＱＩフィード・バック・コンポーネント４２４を含み得る。
【００６６】
概して、ＵＥ４２０は、ＤＬ  ＣＣのうちの１つの上でのＰＤＣＣＨトリガリングに対して、トリガリングＰＤＣＣＨ（またはＵＬ  ＰＣＣ  ＰＵＳＣＨのようなデフォルトＰＵＳＣＨ）によってスケジュールされたＰＵＳＣＨを使用して、トリガリングＰＤＣＣＨ中の１または複数のトリガリング・ビットによって特定されたＤＬ−ＣＣ報告セットについてのＣＱＩ報告で応答する。ＣＱＩフィード・バックは、報告セット中のＤＬ−ＣＣの１または複数が非活性でない限り、ＣＱＩトリガーによって選択された報告セットに全ＤＬ−ＣＣについてのＣＱＩを含める。この場合、ＵＥは、例えばｅＮｏｄｅＢから受信された上位レイヤ構成情報に基づいて、上記の選択肢のうちの１つ（例えばＣＱＩ報告、ＣＱＩ報告無し、またはダミーＣＱＩ報告）を行ない得る。図示されていないが、ｅＮｏｄｅＢ４１０に類似の任意の数のｅＮｏｄｅＢｓがシステム４００に含められることが可能であり、また／またはＵＥ４２０に類似の任意の数のＵＥがシステム４００に含められることが可能である。
【００６７】
図５Ａは、ＵＥ４２０のようなユーザ装置での例示的方法５００Ａを例示するフローチャートである。方法は、ＵＥが１または複数の報告セットを割り出す、動作５０２Ａで開始する。各セットは複数のコンポーネント・キャリアを含んでいる。報告セットの構成は１または複数のＲＲＣメッセージ中で受信され、ＵＥために構成されたＣＣが変わると、また／またはそれらの活性状態が変更すると変わり得る。方法はまた、動作５０４Ａを含み得る。動作５０４Ａにおいて、ＵＥは１または複数の報告セット中の活性化／非活性化されたコンポーネント・キャリアを割り出す。活性化／非活性化されたコンポーネント・キャリアの構成は１または複数のＲＲＣメッセージ中で受信され、ＵＥのために構成されたＣＣが変わると変わり得る。方法はまた、動作５０６Ａで継続する。動作５０６Ａにおいて、ＵＥは、下りリンク制御チャネル上で非周期的チャネル品質情報（ＣＱＩ）の送信のためのトリガーを検出する。方法は、動作５０８Ａで終了する。動作５０８Ａにおいて、ＵＥは、トリガーによって選択された報告セット中の少なくとも活性化された成分キャリアについての非周期的ＣＱＩ報告を、下りリンク制御チャネルに対応する上りリンク・データ・チャネル上で送信する。
【００６８】
図５Ｂは、例えば方法５００Ａを実行し得る装置のような例示的装置５００Ｂを例示する。装置５００Ｂは、図１中の要素ＵＥ１１６、図２中のＵＥ２５０、および図４中のＵＥ４２０との関連で記述された通りであり得る。図示されているように、装置５００Ｂは、それぞれ図１、図２、および図４中の要素１０２、２１０、および４１０のようなｅＮｏｂｅＢから受信されたＲＲＣシグナリングに基づいて、複数のコンポーネント・キャリアの１または複数の報告セットを割り出すためのＣＱＩ報告セット・モジュール５０２Ｂを含み得る。装置５００Ｂはまた、複数の成分キャリアの活性化／非活性化状態を割り出すための活性化／非活性化モジュール５０４Ｂを含み得る。装置５００Ｂはまた、下りリンク制御チャネル上の非周期的なチャネル品質情報の送信のためのトリガーを検出するためのトリガー検出モジュール５０６Ｂを含み得る。装置５００Ｂはまた、トリガーによって選択された報告セット中の少なくとも活性化された成分キャリアについての非周期的ＣＱＩ報告を、下りリンク制御チャネルに対応する上りリンク・データ・チャネル上で送信するためのＣＱＩ送信モジュール５０８Ｂを含み得る。
【００６９】
図６Ａは、図１中の基地局１０２、図２中の基地局２１０、および図４中のｅＮｏｄｅＢ４１０のような基地局での例示的な方法６００Ａを例示するフローチャートである。方法６００Ａは動作６０２Ａで開始する。動作６０２Ａにおいて、基地局は、ＵＥ（例えばＵＥ１１６、ＵＥ２５０、またはＵＥ４２０）に複数のコンポーネント・キャリア中で１または複数の報告セットをシグナルする。方法は動作６０４Ａで継続する。動作６０４Ａにおいて、基地局はＵＥに複数の成分キャリア中のコンポーネント・キャリアの活性化／非活性化状態をシグナルする。動作６０２Ａおよび６０２Ｂ中のシグナリングは、ＵＥへの１または複数のＲＲＣメッセージ中で送信され得、またＵＥのために構成されたＣＣが変わるとまたはそれらの活性状態が変わると変わり得る。方法は動作６０６Ａで継続する。動作６０６Ａにおいて、基地局は、下りリンク制御チャネル上で、ＵＥによる非周期的チャネル品質情報（ＣＱＩ）の送信のためのトリガーを送信する。方法は動作６０８Ａで終了する。動作６０８Ａにおいて、基地局は、下りリンク制御チャネルに対応する上りリンク・データ・チャネル上で、トリガーによって選択された報告セット中の少なくとも活性化されたコンポーネント・キャリアについての非周期的ＣＱＩ報告を受信する。
【００７０】
図６Ｂは、方法６００Ａを実行することが可能な装置６００Ｂを例示している。装置６００Ｂは、それぞれ図１、図２、および図４中の要素１０２、２１０、および４１０との関連で記述された通りであり得る。図示されているように、装置６００Ｂは、複数のコンポーネント・キャリアの１または複数の報告セットのための構成をシグナルしかつコンポーネント・キャリアの各々の活性化／非活性化状態をシグナルするためのＣＱＩ構成モジュール６０２Ｂを含んでいる。装置６００Ｂはまた、下りリンク制御チャネル上で非周期的チャネル品質情報（ＣＱＩ）の送信のためのトリガーを送信するためのＣＱＩトリガリング・モジュール６０４Ｂを含んでいる。また、装置６００Ｂは、下りリンク制御チャネルに対応する上りリンク・データ・チャネル上で、トリガーによって選択された報告セット中の活性化されたコンポーネント・キャリアについての非周期的ＣＱＩ報告を受信するためのＣＱＩ受信モジュール６０６Ｂを含んでいる。
【００７１】
例証を目的として、上記の方法は一連の動作として図示および記述されている。方法がこの動作順序に限定されないことが理解されるべきである。いくつかの動作が１または複数の実施形態に従って本明細書において図示および記述されたのと異なる順序でおよび／または他の動作と同時に起こることが可能だからである。例えば、当業者は、ある方法が、代わりに、一連の相互関連する状態またはイベントとして、例えば状態図において、表現されることが可能であることを理解および認識するだろう。また、全ての例示された動作が、開示されている実施形態の１または複数に従って方法を実施するのに要求されるとは限らないかもしれない。
【００７２】
図７は、様々な開示されている実施形態が実行され得る装置７００を例示している。具体的には、図７に示されている装置７００は、ｅＮｏｄｅＢ（例えば図２に描かれているｅＮｏｄｅＢ２１０または図７に描かれているｅＮｏｄｅＢ４１０）の少なくとも一部またはＵＥ（例えば図２に描かれているＵＥ２５０または図７に描かれているＵＥ４２０）の少なくとも一部を具備し得る。図７に描かれている装置７００は、無線ネットワーク内にあることが可能であり、また例えば１または複数の受信器および／または適切な受信および復号回路（例えばアンテナ、トランシーバ、復調器等）を介して入来データを受信することが可能である。図７に描かれている装置７００はまた、例えば１または複数の送信器および／または適切な符号化および送信回路（例えばアンテナ、トランシーバ、変調器等）によって出行データを送信することが可能である。付加的にまたは代替的に、図７に描かれている装置７００は有線ネットワーク内にあり得る。
【００７３】
図７はさらに、装置７００が、信号調整、解析等のような１または複数の動作を実行するための命令を保持することが可能なメモリ７０２を含むことが可能であることを例示している。さらに、図７の装置７００は、メモリ７０２に格納されている命令および／または別の装置から受信された命令を実行することが可能なプロセッサ７０４を含み得る。命令は、例えば装置７００または関連する通信装置を構成または操作することに関することが可能である。図７に描かれているメモリ７０２は、１つのブロックとして示されているが、それが別個の物理および／または論理ユニットを構成する２つ以上の別個のメモリを具備し得ることが注意されるべきである。また、メモリは、プロセッサ７０４に通信可能に接続されていながら、全体または一部が図７に描かれている装置７００外にあってもよい。また、図７に示されている構成コンポーネント４１２、トリガリング・コンポーネント４１４、およびＣＱＩフィード・バック・コンポーネント４２２のような１または複数のコンポーネントは、メモリ７０２のようなメモリ内に存在することが可能なことが理解されるべきである。
【００７４】
開示されている実施形態との関連で記述されているメモリが揮発性メモリまたは不揮発性メモリであることが可能なこと、または揮発性および不揮発性メモリの両方を含むことが可能なことが認識されるだろう。限定ではなく例証として、不揮発性メモリは読み取り専用メモリ（ＲＯＭ）、プログラマブルＲＯＭ（ＰＲＯＭ）、ＥＰＲＯＭ（ＥＰＲＯＭ）、ＥＥＲＯＭ（ＥＥＰＲＯＭ）、またはフラッシュ・メモリを含み得る。揮発性メモリは、ランダム・アクセス・メモリ（ＲＡＭ）を含むことが可能である。ＲＡＭは、外部キャッシュ・メモリとして振る舞う。限定ではなく例証として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンク（Synchlink）ＤＲＡＭ（ＳＬＤＲＡＭ）、およびディレクト・ランバスＲＡＭ（ＤＲＲＡＭ）のような多くの形態で利用可能である。
【００７５】
図７の装置７００がユーザ装置またはモバイル装置とともに使用されることが可能であり、また例えばネットワークにアクセスするために使用されることが可能なモジュール、例えばＳＤカード、ネットワーク・カード、無線ネットワーク・カード、コンピュータ（ラップトップおよびデスクトップ（携帯情報端末ＰＤＡ）を含む）、携帯電話、スマート・フォン、または他の適切な端末であることが可能なことが注意されるべきである。ユーザ装置は、アクセス・コンポーネント（図示せず）を介してネットワークにアクセスする。一例では、ユーザ装置とアクセス・コンポーネントとの間の接続は本質的に無線であり、この場合、アクセス・コンポーネントは基地局であり得、ユーザ装置は無線端末である。例えば、端末と基地局は、時分割多元接続（ＴＤＭＡ）、符号分割多元接続（ＣＤＭＡ）、周波数分割多元接続（ＦＤＭＡ）、直交周波数分割多重化（ＯＦＤＭ）、ＦＬＡＳＨ  ＯＦＤＭ、直交周波数分割多元接続（ＯＦＤＭＡ）、または他の適切なプロトコル（しかしこれらに限定されない）を含む任意の適切な無線プロトコルを通じて通信し得る。
【００７６】
アクセス・コンポーネントは、有線ネットワークまたは無線ネットワークと関連付けられたアクセス・ノードとなることが可能である。その目的のために、アクセス・コンポーネントは例えばルータ、スイッチ等であることが可能である。アクセス・コンポーネントは他のネットワーク・ノードと通信するための１または複数のインターフェース（例えば通信モジュール）を含むことが可能である。また、アクセス・コンポーネントはセルラー型ネットワーク中の基地局（または無線アクセス・ポイント）であることが可能である。そのネットワークにおいて、基地局（または無線アクセス・ポイント）は複数の加入者への無線履域を提供するために使用される。そのような基地局（または無線アクセス・ポイント）は、１または複数の携帯（セルラー）電話および／または他の無線端末に連続する複数の履域を提供するように配置されることが可能である。
【００７７】
本明細書において記述されている実施形態および特徴がハードウェア、ソフトウェア、ファームウェア、またはその任意の組合せによって実行され得ることが理解されるべきである。本明細書において記述されている様々な実施形態は、方法または処理の一般的な文脈において記述されており、方法または処理は一実施形態においてコンピュータ・プログラム製品によって実現され、プログラム・コードのようなコンピュータ実行ファイル命令を含んだコンピュータ可読媒体中で具現され、ネットワーク化された環境中のコンピュータによって実行され得る。上述のように、メモリおよび／またはコンピュータ可読媒体は、読み取り専用メモリ（ＲＯＭ）、ランダム・アクセス・メモリ（ＲＡＭ）、コンパクト・ディスク（ＣＤ）、ディジタル多用途ディスク（ＤＶＤ）等（ただしこれらに限定されない）を含むリムーバブルおよび非リムーバブル記憶装置を含み得る。ソフトウェア中で実行されると、機能は、コンピュータ可読媒体上に格納されるか、コンピュータ可読媒体上で１または複数の命令あるいはコードとして送信され得る。コンピュータ可読媒体は、コンピュータ記憶装置媒体、およびコンピュータ・プログラムのある位置から別の位置への移動を容易にするあらゆる媒体を含む通信媒体、の両方を含んでいる。記憶媒体は、汎用または専用コンピュータによってアクセスされることが可能なあらゆる利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶装置、あるいは命令またはデータ構造の形態で所望のプログラム・コード手段を搬送または格納するために使用されることが可能でかつ汎用または専用コンピュータまたは汎用または専用プロセッサによってアクセスされることが可能な他の媒体を具備することが可能である。
【００７８】
また、どのような接続であってもコンピュータ可読媒体と称されるのが適切である。例えば、ソフトウェアが同軸ケーブル、光ファイバー・ケーブル、または撚線対を使用してウェブサイト、サーバ、あるいは他の遠隔ソースから送信される場合、同軸ケーブル、光ファイバー・ケーブル、または撚線対は媒体の定義に含まれる。本明細書において使用されているディスク（ｄｉｓｋ）とディスク（ｄｉｓｃ）は、コンパクト・ディスク（ＣＤ）、レーザー・ディスク、光ディスク、ディジタル多用途ディスク（ＤＶＤ）、フロッピー（登録商標）・ディスクおよびブルーレイ・ディスクを含んでいる。ここで、ディスク（ｄｉｓｋ）は通常磁気的にデータを再生し、他方、ディスク（ｄｉｓｃ）はレーザーでデータを光学的に再生する。上記のものの組合せもコンピュータ可読媒体の範囲に含まれるべきである。
【００７９】
一般に、プログラム・モジュールは特定のタスクを実行するか特定の抽象データ形式を実現するルーチン、プログラム、オブジェクト、コンポーネント、データ構造等を含み得る。コンピュータ実行可能命令、関連データ構造、およびプログラム・モジュールは、本明細書において開示されている方法のステップの実行のためのプログラム・コードの例を表す。そのような実行可能命令または関連データ構造の特定のシーケンスは、そのようなステップまたは処理において記述されている機能の実行のための対応する行為の例を表す。
【００８０】
本明細書において開示されている側面との関連で記述されている様々な例証用のロジック、論理ブロック、モジュール、および回路は、汎用プロセッサ、ディジタル信号プロセッサ（ＤＳＰ）、特定用途向け集積回路（ＡＳＩＣ）、フィールド・プログラマブル・ゲート・アレイ（ＦＰＧＡ）または他のプログラム可能論理回路、ディスクリート・ゲートまたはトランジスタ・ロジック、ディスクリート型ハードウェア・コンポーネント、あるいは本明細書において記述されている機能を実行するように設計された任意の組合せによって実現または実行され得る。汎用プロセッサはマイクロプロセッサであり得、またはプロセッサは任意の従来のプロセッサ、コントローラ、マイクロコントローラ、またはステート・マシンであり得る。プロセッサは、コンピュータ装置（例えばＤＳＰおよびマイクロプロセッサの組合せ）、複数のマイクロプロセッサ、ＤＳＰコアと協働する１つまたは複数のマイクロプロセッサ、または任意の他のそのような構成、の組合せとして実現され得る。また、少なくとも１つのプロセッサは、１または複数のステップおよび／または上記の動作を実行するように動作可能な１または複数のモジュールを具備し得る。
【００８１】
ソフトウェア実現については、本明細書において記述されている技術は、本明細書において記述されている機能を実行するモジュール（例えば手続き、関数等）によって実行され得る。ソフトウェア・コードは、メモリ・ユニットにおいて格納され、プロセッサによって実行され得る。メモリ・ユニットはプロセッサ内および／またはプロセッサ外で実現され、その場合、本技術分野において知られているように様々な手段によってプロセッサに通信可能に結合されることが可能である。さらに、少なくとも１つのプロセッサは、本明細書において記述されている機能を実行するように動作可能な１または複数のモジュールを含み得る。
【００８２】
本明細書において記述されている技術は、ＣＤＭＡ、ＴＤＭＡ、ＦＤＭＡ、ＯＦＤＭＡ、ＳＣ−ＦＤＭＡ、および他のシステム等の様々な無線通信システム用に使用され得る。文言「システム」および「ネットワーク」は多くの場合可換的に使用される。ＣＤＭＡシステムは、ユニバーサル地上無線アクセス（ＵＴＲＡ）、ｃｄｍａ２０００等のような無線技術を実現し得る。ＵＴＲＡは、広帯域ＣＤＭＡ（Ｗ−ＣＤＭＡ（登録商標））および他のＣＤＭＡ変形体を含んでいる。さらに、ｃｄｍａ２０００は、ＩＳ−２０００、ＩＳ−９５、およびＩＳ−８５６規格を対象とする。ＴＤＭＡシステムは、グローバル移動体通信システム（ＧＳＭ（登録商標））のような無線技術を実現し得る。ＯＦＤＭＡシステムは、エボルブドＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ等のような無線技術を実現し得る。ＵＴＲＡおよびＥ−ＵＴＲＡはユニバーサル移動体通信システム（ＵＭＴＳ）の一部である。３ＧＰＰロング・ターム・エボルーション（ＬＴＥ）はＥ−ＵＴＲＡを使用するＵＭＴＳのリリースである。それは、下りリンク上でＯＦＤＭＡを使用し、上りリンク上でＳＣ−ＦＤＭＡを使用する。ＵＴＲＡ、Ｅ−ＵＴＲＡ、ＵＭＴＳ、ＬＴＥ、およびＧＳＭは「第３世代パートナーシップ・プロジェクト」（３ＧＰＰ）という名の組織からの文書において記述されている。また、ｃｄｍａ２０００およびＵＭＢは、「第３世代パートナーシップ・プロジェクト２」（３ＧＰＰ２）という名の組織からの文書において記述されている。さらに、そのような無線通信システムは不対（アンペアード、unpaired）で認可されていないスペクトル、８０２．ｘｘ無線ＬＡＮ、ＢＬＵＥＴＯＯＴＨ（登録商標）、および任意の他の短距離または長距離無線通信技術を多くの場合使用する、ピア・ツー・ピア（例えば、ユーザ装置対ユーザ装置）アドホック・ネットワーク・システムをさらに含み得る。
【００８３】
シングル・キャリア周波数分割多元接続（ＳＣ−ＦＤＭＡ）（これは１つのキャリア変調および周波数領域等化を使用する）は、開示されている実施形態とともに使用されることが可能な技術である。ＳＣ−ＦＤＭＡは、ＯＦＤＭＡシステムと同様の性能および本質的に同様の全体的複雑性を有する。ＳＣ−ＦＤＭＡ信号は、その固有の単一キャリア構造ゆえに、より低いピーク対平均電力比（ＰＡＰＲ）を有する。ＳＣ−ＦＤＭＡは上りリンク通信で使用されることが可能であり、この場合、より低いＰＡＰＲは送信電力効率の点でユーザ装置に役立つことが可能である。
【００８４】
また、本明細書において記述されている様々な側面または特徴は、標準的プログラミングおよび／または工学技術を使用して、方法、装置、または製造品として実現され得る。本明細書において使用されているような文言「製造品」は、任意のコンピュータ可読媒体、担体、または媒体からアクセス可能なコンピュータ・プログラムを包含することを意図されている。例えば、コンピュータ可読媒体は、磁気記憶装置（例えばハード・ディスク、フロッピー（登録商標）ディスク、磁気ストリップ等）、光ディスク（例えばコンパクト・ディスク（ＣＤ）、ディジタル多用途ディスク（ＤＶＤ）等）、スマート・カード、およびフラッシュ・メモリ装置（例えばＥＰＲＯＭ、カード、スティック、キー・ドライブ等）を含み得る（しかし、これらに限定されない）。また、本明細書において記述されている様々な記憶媒体は、情報の格納のための１または複数の装置および／または他の機械可読媒体を表すことが可能である。文言「機械可読媒体」は、命令および／またはデータを格納し、含み、かつ／または運搬することが可能な無線チャネルおよび様々な他の媒体をこれらに制限されること無く含むことが可能である。また、コンピュータ・プログラム製品は、コンピュータに本明細書において記述されている機能を実行させるように動作可能な１または複数の命令またはコードを有するコンピュータ可読媒体を含み得る。
【００８５】
さらに、本明細書において開示されている側面との関連で記述されている方法またはアルゴリズムのステップおよび／あるいは行為（アクション）は、直接ハードウェア中で、プロセッサによって実行されるソフトウェア・モジュール中で、またはこれら２つの組合せ中で具現され得る。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、または他の本技術分野において既知の記憶媒体の形態中に存在し得る。例示的な記憶媒体は、プロセッサに、このプロセッサがこの記憶媒体から情報を読みかつこの記憶媒体に情報を書けるように結合され得る。または、記憶媒体はプロセッサと一体化されていてもよい。さらに、いくつかの実施形態では、プロセッサおよび記憶媒体はＡＳＩＣ中に存在し得る。また、ＡＳＩＣはユーザ装置（例えば図４の中の４２０）中に存在し得る。または、プロセッサおよび記憶媒体は、ユーザ装置（例えば図４の中の４２２）中にディスクリート型コンポーネントとして存在し得る。また、いくつかの実施形態では、方法またはアルゴリズムのステップおよび／あるいは行為は、コードおよび／または命令の１つまたは任意の組合せまたはセットとして、機械可読媒体および／またはコンピュータ可読媒体（これらはコンピュータ・プログラム製品に組み込まれ得る）上に存在し得る。
【００８６】
前述の開示は例示的な実施形態を詳述しているが、添付されている請求項によって定義されているように、記述されている実施形態の範囲から外れずに、様々な変更および修正を本明細書において行えることが注意されるべきである。したがって、記述されている実施形態は、添付されている請求項の範囲内にあるような変更、修正、および変形を全て包含することを意図される。さらに、記述されている実施形態の要素は単数で記述されていたり特許請求の範囲に記載されているかもしれないが、単数への限定が明示的に述べられていなければ、複数が企図されている。また、任意の実施形態の全体または一部が任意の他の実施形態の全てまたは一部とともに、そうでないと述べられない限り、使用され得る。
【００８７】
文言「含んでいる」が、詳細な説明または請求項のいずれかにおいて使用されている範囲で、そのような文言は、文言「具備する」が請求項中で移行語として使用された際に解釈されるのと同様に、「具備する」と同様に包含的（非排他的）であることを意図されている。さらに、詳細な説明または請求項のいずれかにおいて使用されているような文言「または」は、排他的「または」ではなく包含的（非排他的）「または」を意味することを意図されている。すなわち、別の形で特定されたり文脈から明らかでない限り、句「ＸはＡまたはＢを使用する」は、自然な包含的（非排他的）順列のいずれをも意味することを意図されている。すなわち、句「ＸはＡまたはＢを使用する」は、以下の実例、ＸはＡを使用する、ＸはＢを使用する、または、ＸはＡとＢの両方を使用する、のうちのいずれによっても満たされる。また、本願および添付されている請求項において使用されているような冠詞「ａ」および「ａｎ」は、別の形で規定されたり単数形に向けられていることが文脈から明らかでない限り、一般に「１または複数である」を意味すると解釈されるべきである。
【図１】
2013539281.tif 000004
【図２】
2013539281.tif 000005
【図３】
2013539281.tif 000006
【図４】
2013539281.tif 000007
【図５Ａ】
2013539281.tif 000008
【図５Ｂ】
2013539281.tif 000009
【図６Ａ】
2013539281.tif 000010
【図６Ｂ】
2013539281.tif 000011
【図７】
2013539281.tif 000012
【国際調査報告】
2013539281.tif 000013
2013539281.tif 000014